(57)【要約】【課題】  傘留は、常時傘に接続・付帯しておくのが便宜であるが、従来の傘留は、それ自体に傘地に対する接続・付帯の機能を有していなかったので、縫合する・融着するといった手段を用い、これに機材を必要としていた。また、傘地を巻く場合、傘地の山折となった峰の部分を接続位置として牽引するのが、傘地をたたみながら巻くという目的に合し、巻きつけベルトも短くて済むところ、山の側面や谷の部分を接続位置とするのが一般であった。【解決手段】  互いに挿通して係合する一組の受けと押えを、一方は可撓性のある傘留ベルトの一端部分に一体として、他方は傘留ベルトとは別に単独体として、それぞれ傘留ベルトの厚さに準じた薄身の形態に形成する。次に、受けまたは押えを傘地峰線上に挿通し、これにこれと対応する押えまたは受けを通し係合させ、受けと押えが相俟って傘地を挟圧して係止することにより、傘留を傘地峰線部分に接続する。【選択図】図４
2012024524.tif 000002
【特許請求の範囲】
【請求項１】
一組となる受けと押えを、一方は可撓性のある傘留ベルトの一端部分に一体として、他方は傘留ベルトとは別に単独体として、それぞれ傘留ベルトの厚みに準じた薄身の形態に形成し、受けには隣接する係合歯を、押えにはこれを通す挿通孔とその内部に係合歯を設け、この受けと押えの係合をもって傘地峰線部を挟圧することによって、その峰線部分で傘地と接続する機能をもつことを特徴とする傘留。
【請求項２】
請求項１に記載した傘留の接続方法において、傘留取付け位置となる傘地の峰線部分に、受けまたは押えを挿通し、次に、この挿通部分に対応する押えまたは受けを係合するよう通し、さらに、傘地を挟んだこの受けと押えを互いに押圧しながら係止することで、傘地峰線部分に傘留を接続することを特徴とする傘留と傘地の接続方法。
【発明の詳細な説明】
【技術分野】
【０００１】  本発明は、傘地の峰線部への接続付帯機能を有する傘留とその接続方法に関する。
【背景技術】
【０００２】  傘留は、従来、常時傘に接続付帯したものとして使用しているが、傘留それ自体には傘地に対する接続付帯のための機能を備えていなかったため、別途縫合または融着するなどして傘地との接続を果たしていた。また、接続位置について、傘地を巻く場合、傘地を山折状にして巻くことになるため、山の峰線部に接続して牽引するのが合理的であるところ、従来、傘地を巻く際にできる山折の山の側面もしくは谷の位置に接続するのが一般であった。
【先行技術文献】
【特許文献】
【０００３】
【特許文献１】  特開平１０−２２５３１４
【発明の概要】
【発明が解決しようとする課題】
【０００４】  以上に述べた従来の傘留では、傘地との接続のためにミシンや融着のための装置といった機材を使用しなければならなかった。【０００５】  また、傘地を巻く場合、傘地を山折状にして巻くことになるが、このとき、山の峰で折りたたむのが合理的であり、そのためには傘留を該峰線上に接続することが望ましい。なぜなら、傘留を峰線上に接続することによって峰線部分を牽引することになり、峰線部分でたたむという目的に合するからである。しかしながら、従来の技術方法によれば、これに反して山の側面もしくは谷の部分に接続するのが一般であり、このため、峰を頂点にたたみ巻くという目的にそぐわず、しわの原因となるばかりでなく、巻きつけベルトを無駄に長くする必要があるという難点があった。
【課題を解決するための手段】
【０００６】  本発明は上記課題を解決するために、傘地の峰線部への接続機能を備える傘留とその接続方法を提供することを目的とする。まず、傘留本体となる可撓性のあるベルトの一端部分に一体として、傘地を挟むための受けまたは押えとなる部分を設けるとともに、これに対応する押えまたは受けを該ベルトとは別に独立体として形成する。ただし、受けには係合歯を隣設し、押えには挿通孔とその内部に同じく係合歯を備える。ここで、受けと押えは、傘地の山折峰線部分に装着するため、峰線に沿いながら峰幅を狭くとるようにベルトの厚さに準じた薄身の形態とする。【０００７】  次に、傘留となるこのベルトを傘地に接続する。
まず、受けまたは押えを傘地峰線上に挿通する。
次に、対応する押えまたは受けをこれに通して、受けと押えを係合歯によって係合させ、傘地を挟んで押圧しながら係止する。これにより、傘留は傘地峰線部分に折りたたむ際の障害なく接続する。
【発明の効果】
【０００８】  この傘留およびその接続方法による効果は次のとおりである。すなわち、傘留接続のためにミシンや融着用の装置といった機材を使用する必要がなくなる。また、傘留ベルトの厚さに準じた薄身の形態として、傘地を直線的に押圧するように受けと押えを形成するので、傘地の山折の峰線への接続に適合し、合理的な接続の位置を実現する。したがって、巻きつけベルトの無駄をなくすこともできる。そして、傘留の巻きつけにおいても、取付け位置が峰線部分であることから、ベルトを見つけやすく迅速性に優れ、しかもきれいな巻きつけが可能となる。さらに、傘留ベルトに布紐やビニル紐のような柔軟性をもたせなければ、ベルト自体巻きつけの方向性をもつことになり、巻きつけ作業もより容易になる。たとえば、人混みの中での巻きつけも、傘を横にせず立てたままでもベルトを押えて傘を回すだけでよく、簡単に巻くことができる。
【図面の簡単な説明】
【０００９】
【図１】（ａ）本発明の実施例の概念図。本図において、傘地３の左側は雨・日差しを受ける傘の表面であり、右側は傘の内側である。また、上側は石突側であり、下側は手元側である。以下［図２］［図３］において同じ。（ｂ）Ａ−Ａ矢視断面図
【図２】本発明の他の実施例の概念図
【図３】［図２］の脚６を２本とした実施例の概念図
【図４】［図１］の実施例の状態を示す斜視図。
【図５】傘の山折部分模式図。
【発明を実施するための形態】
【０００１０】  以下本発明の実施の形態を図面に基づいて説明する。
［図１］では、傘留となるベルト１の一端をＴ字状に形成し、Ｔ字端をして傘地３を挟むための受け４とする。そして、受け４に隣接するベルト基部に係合歯５を設ける。また、これに対応して傘地を挟むために挿通孔と係合歯を備えた押え２を別に形成する。一方、傘地の山折峰線部分に傘留取付け位置となる切込を入れ、ベルト１を受け４の位置まで挿通する。ただし、切込は挿通のため必要にして最小の長さにする。次に、押え２が、ベルト１を通して、係合歯５と係合したうえ、峰線部の傘地３を挟んで受け４を峰線に沿い直線的に押圧した状態で係止する。この結果、傘留となるベルトは、傘地と傘地峰線上で確実に接続することになる。なお、［図５］の模式図から、傘軸７に対して垂直に傘を巻くためには、ベルトが傘地峰線に対してθの角度で接続するようにＴ字状部分を形成する。ただし、θ＝９０°−αである。また、受けの係合歯の位置は、受け部分に隣接していれば、図の位置に限らずその側面または全周面でもよい。当然ながら、押えの係合歯はこれに対応する。これらは全実施例について同様である。
【０００１１】  ［図２］は、［図１］の押え２と受け４の機能を逆にしたものである。すなわち、［図２］では［図１］の２部分が受けとしてベルトと一体となり、同じく［図１］の４部分が押えとしてベルトと独立する。したがって、押え２と係合する係合歯５も、傘地３を挟んで［図１］とは反対の位置になる。この場合、傘地を挿通するのはベルト１ではなく、脚６である。さらに、押え２が脚６を通して脚６の係合歯５と係合し、傘地３と受け４を直線状に押圧した状態で係止する。
【０００１２】  ［図３］は、［図２］の脚６を２本にして、接続をより強固にした実施例である。この場合は、脚を細めに形成したうえ、図のように受けの係合歯部分先端をシャープな形態とすることで、傘地を押し抜くと同時に押えと係合することも可能である。
【０００１３】  ［図４］では、ベルトの形態として、一枚の平坦な板状とするのではなく、傘を巻いたときのベルトの形状曲線をベルト基部に形成した、巻きつけの方向性がある実施例を示してある。なお、ベルトの形態に限定はなく、本図に示したもののほか、リング状やゼンマイ状などに形成してもよい。
【０００１４】  以上の実施形態は、傘留となるベルトと受けを一体とし、押えを独立体としたものであるが、各形態につき押えをベルトと一体とし、受けを独立体としても同じ効果を得ることができる。とくに、［図３］の場合脚を細く、最大針状にすれば傘地に対する切り込みは最小にできる。
【０００１５】  以上いずれの実施形態も、ベルトの厚さに準じて薄く形成された受けと押えが、傘地峰線上で係合を保ちながら傘地を押圧状態で挟み、傘留と傘地を傘地の折りたたみに支障なく接続する。
【符合の説明】
【０００１６】１  傘留ベルト
２  押え
３  傘地
４  受け
５  係合歯
８  傘地の峰線
【図１】
2012024524.tif 000003
【図２】
2012024524.tif 000004
【図３】
2012024524.tif 000005
【図４】
2012024524.tif 000006
【図５】
2012024524.tif 000007